(57)【要約】【課題】チャッキング音を確実に小さくする。【解決手段】モータの回転により、スライダ２０が左スライド位置と右スライド位置との間でスライドする。スライダ２０が右スライド位置までスライドすると、トラバースメカが退避位置から再生位置まで回転する。スライダ２０に、トラバースメカの第１，第２リフターボス２３ａ，２３ｂが挿入される第１，第２カム孔２０ａ，２０ｄを形成する。スライダ２０に、第１，第２変形部２０ｂ，２０ｅを形成する。スライダ２０が右スライド位置に向けてスライドして、トラバースメカが再生位置の直前まで回転すると、第１，第２変形部２０ｂ，２０ｅにより、第１，第２リフターボス２３ａ，２３ｂに負荷が付与される。第１，第２リフターボス２３ａ，２３ｂに負荷が付与されている間は、トラバースメカ１０の回転速度が低下する。【選択図】図１０
2008305480.tif 000002
【特許請求の範囲】
【請求項１】
光ディスクを回転させるスピンドルモータを有するトラバースメカを、昇降手段により、前記光ディスクの再生を行う再生位置と、前記再生位置から下方に退避した退避位置との間で昇降させる光ディスク装置において、
前記スピンドルモータに設けられ、前記光ディスクを保持するターンテーブルと、
前記トラバースメカが前記再生位置まで上昇したときに前記ターンテーブルとの間に前記光ディスクを挟持するクランパと、
前記トラバースメカが前記再生位置の直前まで上昇したときに、前記トラバースメカに負荷を付与して当該トラバースメカの上昇速度を低下させる負荷付与手段と、を備えたことを特徴とする光ディスク装置。
【請求項２】
前記昇降手段は、
スライド自在に設けられたスライダと、
前記トラバースメカに設けられたボス部と、
前記スライダに設けられ、前記ボス部が挿通されるとともに、前記スライダのスライドに応じて前記ボス部を案内して前記トラバースメカを昇降させる昇降カム孔と、を備え、
前記負荷付与手段は、
前記スライダに設けられ、前記昇降カム孔の幅を前記ボス部よりも小さくする小形状と、前記昇降カム孔の幅を前記ボス部と略同一にして前記ボス部の通過を可能にする大形状とに変形可能な変形部と、
前記変形部を前記小形状に向けて付勢する付勢手段と、を備えたことを特徴とする請求項１記載の光ディスク装置。
【請求項３】
前記変形部は、前記トラバースメカが前記再生位置の直前まで上昇したときに前記ボス部が通過する部分に設けられていることを特徴とする請求項２記載の光ディスク装置。
【請求項４】
前記変形部は、前記スライダに一体的に形成されていることを特徴とする請求項２または３記載の光ディスク装置。
【請求項５】
前記変形部は、前記スライダとは別に設けられ、前記スライダに取り付けられた変形部材から構成されていることを特徴とする請求項２または３記載の光ディスク装置。
【発明の詳細な説明】
【技術分野】
【０００１】
本発明は、ディスクに記録された情報の再生や記録を行う光ディスク装置に関するものである。
【背景技術】
【０００２】
光ディスク装置には、ＣＤ、ＤＶＤなどの光ディスクが記憶媒体として用いられている。光ディスク装置は、光ディスクを装填するディスクトレイを、本体ケースに対して移動自在に組み込み、光ディスクの着脱時にはディスクトレイを本体ケース外部に引き出し、使用時にはディスクトレイを本体ケース内部に格納するように構成される。本体ケースの内部には、ディスクトレイ上に装填された光ディスクを高速で回転させるスピンドルモータが設けられている。スピンドルモータには、光ディスクを保持するとともに、磁石が埋め込まれたターンテーブルが取り付けられており、本体ケースの内部には、ターンテーブルの磁石の磁力により吸引される磁性体としての鉄板が設けられたクランパが配されている。
【０００３】
スピンドルモータ及び光ピックアップを有するトラバースメカは、光ディスクの再生を行う再生位置とこの再生位置から退避した退避位置との間で回転可能に設けられており、ディスクトレイが本体ケース内部に格納された後、トラバースメカは再生位置まで回転する。トラバースメカが、再生位置まで回転すると、クランパの鉄板が、ターンテーブルの磁石の磁力により吸引され、光ディスクは、ターンテーブルとクランパとの間で挟持された状態となる。光ディスク交換時には、トラバースメカを退避位置まで変位させて、ターンテーブルとクランパとを引き離した後、ディスクトレイを本体ケース外部に引き出す。
【０００４】
ターンテーブルの磁石の磁力によりクランパの鉄板を吸引するときにはチャッキング音が発生し、このチャッキング音は、ユーザに不快感を与えてしまうという問題があった。このため、チャッキング音の低減を図る技術が提案されている（例えば特許文献１及び２参照）。
【特許文献１】特開２００５−３１２１４８号公報
【特許文献２】特開２００７−０４２１８９号公報
【発明の開示】
【発明が解決しようとする課題】
【０００５】
しかしながら、特許文献１では、ローディング開始からの時間により、パルス周期を切り替えるようにしているため、ローディング時に操作者によってトレイが押されたときには、所望するタイミングとは異なるタイミングでパルス周期が切り替わり、パルス周期が切り替わる前にトラバースメカが再生位置まで回転してしまうという問題があった。この場合には、チャッキング音の低減を図ることができない。また、特許文献１では、検出手段を設け、検出手段により検出したときに、パルス周期を切り替えるようにしているが、検出手段の具体的な記載がない。さらには、検出手段を設けることにより、コストアップしてしまうという問題があった。
【０００６】
また、特許文献２では、トレイの搬入搬出経路を複数区間に分け、区間毎にトレイの搬入搬出速度を切り換えており、搬入位置付近の区間では、トレイの搬入速度を低速にしている。トラバースメカは、トレイが搬入位置まで移動した後に、再生位置まで回転するものであり、トレイを搬入させるときのモータを駆動源として回転する。このため、搬入位置に移動するときのトレイ搬入速度を低速にした場合には、トラバースメカの回転速度が低速になり、モータの駆動力が足りずに、トラバースメカを再生位置まで回転させることができないという問題があった。
【０００７】
本発明は、上記課題を解決するためになされたものであり、チャッキング音を確実に小さくすることができる光ディスク装置を提供することを目的とする。
【課題を解決するための手段】
【０００８】
上記目的を達成するために、本発明の光ディスク装置は、光ディスクを回転させるスピンドルモータを有するトラバースメカを、昇降手段により、前記光ディスクの再生を行う再生位置と、前記再生位置から下方に退避した退避位置との間で昇降させる光ディスク装置において、前記スピンドルモータに設けられ、前記光ディスクを保持するターンテーブルと；前記トラバースメカが前記再生位置まで上昇したときに前記ターンテーブルとの間に前記光ディスクを挟持するクランパと；前記トラバースメカが前記再生位置の直前まで上昇したときに、前記トラバースメカに負荷を付与して当該トラバースメカの上昇速度を低下させる負荷付与手段と；を備えたことを特徴とする。
【０００９】
なお、前記トラバースメカの昇降は、回転や移動により行われるものである。また、前記光ディスクとしては、ＣＤ、ＤＶＤ、デュアルディスク、ＳＡＣＤ（ハイブリッド・ディスク）等が挙げられる。さらに、前記ターンテーブルと前記クランパとの一方に磁石を、他方に前記磁石の磁力により吸着される磁性部材を設けることが好ましい。
【００１０】
また、前記昇降手段は、スライド自在に設けられたスライダと；前記トラバースメカに設けられたボス部と；前記スライダに設けられ、前記ボス部が挿通されるとともに、前記スライダのスライドに応じて前記ボス部を案内して前記トラバースメカを昇降させる昇降カム孔と；を備え、前記負荷付与手段は、前記スライダに設けられ、前記昇降カム孔の幅を前記ボス部よりも小さくする小形状と、前記昇降カム孔の幅を前記ボス部と略同一にして前記ボス部の通過を可能にする大形状とに変形可能な変形部と；前記変形部を前記小形状に向けて付勢する付勢手段と；を備えることが好ましい。
【００１１】
さらに、前記変形部は、前記トラバースメカが前記再生位置の直前まで上昇したときに前記ボス部が通過する部分に設けられていることが好ましい。
【００１２】
また、前記変形部は、前記スライダに一体的に形成されていること、または、前記スライダとは別に設けられ、前記スライダに取り付けられた変形部材から構成されていることが好ましい。なお、前記変形部を、前記スライダに一体的に形成する場合には、前記スライダに、前記変形部の変形を容易にするための逃げ孔を形成することが好ましい。
【発明の効果】
【００１３】
本発明の光ディスク装置によれば、トラバースメカが前記再生位置の直前まで上昇したときに、トラバースメカに負荷を付与して当該トラバースメカの上昇速度を低下させるから、一定の上昇速度でトラバースメカを再生位置まで上昇させるものに比べて、トラバースメカが再生位置まで上昇してターンテーブルがクランパに接触するときに発生するチャッキング音を小さくすることができる。
【００１４】
また、スライダに設けられた変形可能な変形部により、トラバースメカに設けられたボス部に負荷を付与して、トラバースメカの上昇速度を低下させるから、簡単な構成で容易にチャッキング音を小さくすることができる。
【発明を実施するための最良の形態】
【００１５】
図１及び図２に示すように、光ディスク装置２は、ＣＤ（光ディスク）３にアクセスして、ＣＤ３にデータの記録及び再生を行うものであり、パソコン等に組み込まれる。なお、光ディスク装置２は、ＤＶＤ等も再生可能である。
【００１６】
光ディスク装置２のケース４には、ディスクトレイ５が、ＣＤ３の再生時にケース４の内部に格納される格納位置（図１参照）と、ケース４の外部に露出される露出位置（図２参照）との間で移動可能に取り付けられている。ケース４の内部には、光ピックアップ６、ピックアップベース７、スピンドルモータ８及びターンテーブル９を含むトラバースメカ１０や、回路基板等が組み込まれている。ケース４は、上カバー４ａ及び下カバー４ｂから構成されている（図４参照）。なお、光ピックアップ６、ピックアップベース７、スピンドルモータ８、ターンテーブル９は、図１及び図２では図示を省略し、図３〜図５で図示している。
【００１７】
ケース４の前面には、ＣＤ３を再生する再生スイッチ１２、ＣＤ３の再生を停止する停止スイッチ１３、ディスクトレイ５開閉用の開閉スイッチ１４等の各種スイッチが設けられている。これら開閉スイッチ１４を含む複数のスイッチは、光ディスク装置２の主制御を行う制御部１５に接続されている。開閉スイッチ１４を操作すると、ディスクトレイ５は、後述するトレイ移動機構３０により移動される。なお、開閉スイッチ１４を含むスイッチを、ケース４の前面に設けずに、光ディスク装置２が組み込まれるパソコンに設けるようにしてもよい。
【００１８】
ディスクトレイ５は、ＣＤ３が装填されるものであり、ＣＤ３の外径に対応した窪みが形成されている。ディスクトレイ５の中心部には、格納位置に位置するときにスピンドルモータ８及びターンテーブル９が挿通される挿通孔５ａが形成され、この挿通孔５ａに連続して、光ピックアップ６がＣＤ３にアクセスするためのアクセス開口５ｂが形成されている。
【００１９】
図３、図４及び図５に示すように、光ピックアップ６は、発光素子から照射されたレーザ光をＣＤ３の記録面に集光する対物レンズ１６が組み込まれており、ピックアップベース７に取り付けられた保持シャフト１７に移動自在に保持されている。光ピックアップ６は、公知の移動機構により、ＣＤ３の径方向である保持シャフト１７の軸方向（図３におけるＡ方向）に移動される。
【００２０】
ターンテーブル９は、スピンドルモータ８の回転シャフトに取り付けられている。ターンテーブル９の上面には、ＣＤ３再生時のＣＤ３の滑りを防止する滑り止めシート１８が取り付けられている。ターンテーブル９には、ＣＤ３を保持するためのチャッキングコア部９ａが形成されている。チャッキングコア部９ａには、クランパ２５の係合凸部２５ｄが挿入される係合孔９ｂが形成されている。チャッキングコア部９ａの内部には、磁石１９が埋め込まれている。
【００２１】
ケース４の内部には、トラバースメカ１０を回転させるためのスライダ２０が設けられている。スライダ２０は、左右方向にスライド自在に設けられており、詳しくは後述するように、スライダ２０のスライドに応じて、トラバースメカ１０が回転する。
【００２２】
ディスクトレイ５の下面には、スライダ２０の第１スライダボス２０ｉを案内する第１ガイドリブ５ｃと、第２スライダボス２０ｊを案内する第２ガイドリブ５ｄとが立設されている。各ガイドリブ５ｃ，５ｄは、それぞれ２本ずつ立設されており、各ボス２０ｉ，２０ｊは２本のリブの間に入り込むようにされている。これにより、ディスクトレイ５が前後方向（図３における上下方向）に移動すると、各ボス２０ｉ，２０ｊは、ガイドリブ５ｃ，５ｄによって左右方向に案内され、スライダ２０が左右方向にスライドする。
【００２３】
ピックアップベース７には、ダンパー２１が４個、ビス２２により取り付けられている。後面側（図３における上側）の２個のビス２２は、ダンパー２１を介して、ケース４内部の取付部にビス締めされており、ピックアップベース７は、この２個のビス２２を中心にして、図５中Ｂ方向に回転自在に取り付けられている。
【００２４】
前面側（図３における下側）の２個のビス２２は、ダンパー２１を介して、リフター２３に取り付けられている。すなわち、ピックアップベース７には、リフター２３が取り付けられている。
【００２５】
リフター２３の前面には、スライダ２０の第１カム孔２０ａに挿入される第１リフターボス２３ａと、第２カム孔２０ｄに挿入される第２リフターボス２３ｂとが形成されている。リフター２３の左右の側面には回転軸２３ｃが形成されており、リフター２３は、回転軸２３ｃを中心にして、図５中Ｂ方向に回転自在にケース４に取り付けられている。なお、回転軸２３ｃは、図３及び図５における上下方向の位置が規制されておらず、ピックアップベース７が、図５における上側のビス２２を中心に回転するときには、回転軸２３ｃが図５における上下方向に移動する。これにより、リフター２３が回転すると、ピックアップベース７は、後面側（図３における上側）の２個のビス２２を中心にして、図５中Ｂ方向に回転する。本実施形態では、ピックアップベース７及びリフター２３を有するトラバースメカ１０は、スライダ２０のスライドに応じて、退避位置（図４及び図５参照）と再生位置（図１１参照）との間で回転する。なお、第１，第２リフターボス２３ａ，２３ｂを、リフター２３に一体的に形成せずに、第１，第２リフターボス２３ａ，２３ｂの代わりに、別部材としてのリフターピンをリフター２３に取り付けてもよい。
【００２６】
上カバー４ａには、２段の段付き状のカバー凹部４ｃが形成されており、カバー凹部４ｃの底面には、クランパ２５の本体部２５ａを挿入するための、挿入孔４ｄが形成されている。クランパ２５は、ＣＤ３再生時にＣＤ３に当接した状態で回転するものであり、本体部２５ａと鍔部２５ｂとを備える。本体部２５ａは挿入孔４ｄよりも小さい径で形成され、鍔部２５ｂは挿入孔４ｄよりも大きい径で形成されている。本体部２５ａの底面には、チャッキングコア部９ａの上部が挿入される挿入凹部２５ｃが形成されており、挿入凹部２５ｃには、係合孔９ｂに挿入される係合凸部２５ｄが立設されている。本体部２５ａには、鉄板２６が取り付けられており、この鉄板２６は、チャッキングコア部９ａの内部に埋め込まれた磁石１９の磁力により吸着される。これにより、クランパ２５がチャッキングコア部９ａに保持され、ＣＤ３は、ターンテーブル９とクランパ２５との間に挟持される。なお、上カバー４ａには、カバー凹部４ｃを覆うシート（図示せず）が貼り付けられており、クランパ２５が上カバー４ａから落ちることがない。また、図１及び図２においては、カバー凹部４ｃの図示を省略している。
【００２７】
図４及び図６に示すように、スライダ２０には、リフター２３の第１リフターボス２３ａが挿入される第１カム孔２０ａと、第１変形部２０ｂと、第１変形部２０ｂの変形を容易にするための第１逃げ孔２０ｃと、第２リフターボス２３ｂが挿入される第２カム孔２０ｄと、第２変形部２０ｅと、第２変形部２０ｅの変形を容易にするための第２逃げ孔２０ｆとが形成されている。
【００２８】
第１変形部２０ｂは、第１カム孔２０ａの上壁面２０ｇとの隙間（第１カム孔２０ａの幅）が第１リフターボス２３ａよりも小さくなる小形状（図４及び図９参照）と、上壁面２０ｇとの隙間が第１リフターボス２３ａと略同一になり第１リフターボス２３ａの通過を可能にする大形状（図１０参照）とに変形可能で、小形状に向けてのバネ性を有するように形成されている。本実施形態では、第１変形部２０ｂを小形状に向けて付勢する付勢手段は、第１変形部２０ｂが有するバネ性により構成されている。
【００２９】
第２変形部２０ｅは、第１変形部２０ｂと同様に、第２カム孔２０ｄの上壁面２０ｈとの隙間（第２カム孔２０ｄの幅）が第２リフターボス２３ｂよりも小さくなる小形状（図４及び図９参照）と、上壁面２０ｈの隙間が第２リフターボス２３ｂと略同一になり第２リフターボス２３ｂの通過を可能にする大形状（図１０参照）とに変形可能で、小形状に向けてのバネ性を有するように形成されている。第１，第２変形部２０ｂ，２０ｅは、トラバースメカ１０が再生位置の直前まで上昇したときに、第１，第２リフターボス２３ａ，２３ｂに当接する位置に形成されている。本実施形態では、第２変形部２０ｅを小形状に向けて付勢する付勢手段は、第２変形部２０ｅが有するバネ性により構成されている。なお、第１，第２変形部２０ｂ，２０ｅが有するバネ性に代えて、コイルバネ等のバネ部材を設け、コイルバネにより第１，第２変形部２０ｂ，２０ｅを小形状に向けて付勢するようにしてもよい。また、第１，第２変形部２０ｂ，２０ｅの形状は、第１，第２リフターボス２３ａ，２３ｂに付与する負荷の設定量に応じて適宜変更可能されるものである。
【００３０】
スライダ２０の上面には、ディスクトレイ５の第１ガイドリブ５ｃにより案内される第１スライダボス２０ｉと、第２ガイドリブ５ｄにより案内される第２スライダボス２０ｊとが立設されている。スライダ２０の前面には、スライダギア２０ｋが形成されている。
【００３１】
ディスクトレイ５が露出位置（図３参照）に位置するときには、第２スライダボス２０ｊが第２ガイドリブ５ｄにより案内され、スライダ２０は左スライド位置（図４参照）に位置する。スライダ２０が左スライド位置に位置するときには、トラバースメカ１０は退避位置に位置される。
【００３２】
ディスクトレイ５が、露出位置（図２及び図３参照）から格納位置（図１参照）に向けて移動すると、第２スライダボス２０ｊが第２ガイドリブ５ｄにより案内され、スライダ２０は、左スライド位置から右方にスライドする。
【００３３】
図３及び図４に示すように、スライダギア２０ｋは、ケース４内部に回転自在に設けられた半円状の半円ギア２９に噛合している。半円ギア２９は、スライダ２０が左スライド位置（図４参照）からギア噛合位置（図７参照）までの間に位置するときには、スライダギア２０ｋのみと噛合している。スライダ２０が左スライド位置からギア噛合位置までスライドして、半円ギア２９が回転すると、半円ギア２９は、トレイ移動機構３０の第３段ギア３１ｃに噛合する。半円ギア２９は、スライダ２０がギア噛合位置と右スライド位置（図１１参照）との間でスライドするときには、第３段ギア３１ｃに噛合するようにされている。
【００３４】
図７及び図８に示すように、ケース４内部には、ディスクトレイ５を移動させるトレイ移動機構３０が設けられている。トレイ移動機構３０は、トレイ用ギア３１、中継プーリー３２、ベルト３３、モータプーリー３４、モータ３５を備え、トレイ用ギア３１、中継プーリー３２は、図示しない支軸に回転自在に取り付けられている。トレイ用ギア３１は、３段ギアから構成されており、図８における最上段から順に第１段ギア３１ａ、第２段ギア３１ｂ、第３段ギア３１ｃとなっている。第１段ギア３１ａは、ディスクトレイ５に形成されたトレイギア５ｅに噛合している。なお、図８においては、図面の乱雑を避けるため、ベルト３３、モータプーリー３４、モータ３５の図示を省略している。
【００３５】
中継プーリー３２には、中継ギア３２ａが形成されており、中継ギア３２ａは、第２段ギア３１ｂに噛合している。中継プーリー３２は、半円ギア２９と同心円上に設けられている。モータプーリー３４は、モータ３５のモータシャフトに取り付けられており、中継プーリー３２とモータプーリー３４とには、ベルト３３が巻き掛けられている。モータ３５は、制御部１５に接続されており、制御部１５により駆動が制御される。制御部１５は、開閉スイッチ１４が操作されたときに、モータ３５を駆動する。
【００３６】
モータ３５が駆動してモータプーリー３４が回転すると、ベルト３３を介して中継プーリー３２が回転し、中継ギア３２ａに噛合しているトレイ用ギア３１が回転する。そして、トレイ用ギア３１の回転により、ディスクトレイ５が前後方向（図７における上下方向）に移動する。本実施形態では、モータプーリー３４が時計方向に回転するようにモータ３５を駆動すると、ディスクトレイ５が露出位置から格納位置に向けて移動し、モータプーリー３４が反時計方向に回転するようにモータ３５を駆動すると、ディスクトレイ５が格納位置から露出位置に向けて移動する。
【００３７】
ディスクトレイ５が露出位置（図３参照）に位置するときに、開閉スイッチ１４が操作されると、制御部１５は、モータプーリー３４が時計方向に回転するようにモータ３５を駆動する。このモータ３５の駆動により、ディスクトレイ５は格納位置に向けて移動する。
【００３８】
ディスクトレイ５が格納位置まで移動する直前に、スライダ２０は、ディスクトレイ５の第１，第２ガイドリブ５ｃ，５ｄにより案内されて、半円ギア２９が第３段ギア３１ｃに噛合するギア噛合位置までスライドする。スライダ２０がギア噛合位置まで移動すると、トレイギア５ｅは第１段ギア３１ａとの噛合から外れる。半円ギア２９が第３段ギア３１ｃに噛合すると、モータ３５の駆動により、モータプーリー３４、ベルト３３、中継プーリー３２、トレイ用ギア３１、半円ギア２９を介して、スライダ２０が右方にスライドする。スライダ２０がギア噛合位置から右方にスライドすると、第１スライダボス２０ｉが第１ガイドリブ５ｃに当接して、このスライダ２０が右方にスライドする力により、ディスクトレイ５は後方（図７における上方）に向けて格納位置まで移動する。
【００３９】
スライダ２０は、ギア噛合位置（図７及び図８参照）と右スライド位置（図１１参照）との間でスライドするときは、モータ３５の駆動によりスライドし、ギア噛合位置と左スライド位置（図３及び図４参照）との間でスライドするときは、ディスクトレイ５の各ガイドリブ５ｃ，５ｄによりスライドする。本実施形態では、モータ３５を有し、モータ３５の回転によりスライダ２０をスライドさせるスライド機構は、トレイ移動機構３０により構成されている。
【００４０】
ディスクトレイ５を格納位置から露出位置に向けて移動させるときには、モータプーリー３４が反時計方向に回転するようにモータ３５を駆動し、スライダ２０を左方にスライドさせる。スライダ２０が左方に向けてギア噛合位置までスライドすると、第１スライダボス２０ｉが第１ガイドリブ５ｃに当接して、このスライダ２０が左方にスライドする力により、ディスクトレイ５は前方（図７における下方）に向けて移動し、トレイギア５ｅが第１段ギア３１ａに噛合するとともに、半円ギア２９は第３段ギア３１ｃとの噛合から外れる。そして、モータ３５の駆動により、ディスクトレイ５は、露出位置まで移動する。
【００４１】
図９に示すように、モータ３５の駆動により、スライダ２０がギア噛合位置（図８参照）から右スライド位置に向けてスライドすると、リフター２３の第１，第２リフターボス２３ａ，２３ｂが第１，第２カム孔２０ａ，２０ｄにより案内され、リフター２３は回転軸２３ｃを中心にして、図５中Ｃ方向に回転される。
【００４２】
リフター２３が回転されると、それに応じて、トラバースメカ１０が図５中Ｃ方向に再生位置に向けて回転される。すなわち、スライダ２０が右スライド位置に向けてスライドすると、リフター２３の第１リフターボス２３ａが第１カム孔２０ａを案内されて、トラバースメカ１０が再生位置に向けて回転される。
【００４３】
第１リフターボス２３ａが、第１カム孔２０ａの上壁面２０ｇと第１変形部２０ｂとの間まで案内されると、第１カム孔２０ａの幅が、第１リフターボス２３ａの径よりも小さくなるため、この部分を通過するときには、第１変形部２０ｂを変形させながらリフター２３は回転する。
【００４４】
図１０に示すように、第１変形部２０ｂを変形させると、第１変形部２０ｂのバネ性により、第１リフターボス２３ａに負荷が付与される。第１リフターボス２３ａに負荷が付与されると、リフター２３の回転速度が低下し、これに伴いトラバースメカ１０の回転速度が低下する。すなわち、第１変形部２０ｂにより、第１リフターボス２３ａに負荷が付与されている間は、トラバースメカ１０の回転速度が低下する。
【００４５】
同様にして、第２リフターボス２３ｂが、第２カム孔２０ｄの上壁面２０ｈと第２変形部２０ｅとの間まで案内されると、第２カム孔２０ｄの幅が、第２リフターボス２３ｂの径よりも小さくなるため、この部分を通過するときには、第２変形部２０ｅを変形させながらリフター２３は回転し、トラバースメカ１０の回転速度が低下する。
【００４６】
図１１に示すように、スライダ２０が右スライド位置までスライドすると、トラバースメカ１０が再生位置まで回転される。本実施形態では、トラバースメカ１０を昇降させる昇降手段は、トレイ移動機構３０と、ディスクトレイ５の第１，第２ガイドリブ５ｃ，５ｄと、スライダ２０と、リフター２３の第１，第２リフターボス２３ａ，２３ｂと、半円ギア２９とを備えて構成される。
【００４７】
トラバースメカ１０が再生位置まで回転すると、チャッキングコア部９ａが、ＣＤ３のディスク孔３ａに挿入される。さらに、チャッキングコア部９ａの上部が、クランパ２５の挿入凹部２５ｃに挿入されるとともに、クランパ２５の係合凸部２５ｄがチャッキングコア部９ａの係合孔９ｂに挿入される。この状態では、鉄板２６が取り付けられたクランパ２５は、チャッキングコア部９ａの磁石１９の磁気により吸着保持され、ＣＤ３の上面にクランパ２５の下面が当接する。これにより、ＣＤ３が、ターンテーブル９とクランパ２５との間に挟持された状態となり、ＣＤ３は上下方向が位置決めされる。このとき、チャッキングコア部９ａとクランパ２５とが接触する音、いわゆるチャッキング音が発生する。そして、ＣＤ３再生時に、スピンドルモータ８が回転すると、ＣＤ３、ターンテーブル９、クランパ２５が共に回転する。
【００４８】
上記のように構成された光ディスク装置２の作用について説明する。ＣＤ３を再生させるには、先ず、ＣＤ３をディスクトレイ５に装填する。次に、開閉スイッチ１４を操作してディスクトレイ５を露出位置（図２及び図３参照）から格納位置（図１参照）に向けて移動させる。開閉スイッチ１４が操作されると、制御部１５は、モータ３５を回転させる。
【００４９】
モータ３５の回転により、ディスクトレイ５が露出位置から格納位置に向けて移動すると、スライダ２０の第１スライダボス２０ｉが第１ガイドリブ５ｃにより案内され、第２スライダボス２０ｊが第２ガイドリブ５ｄにより案内され、スライダ２０は、左スライド位置から右方にスライドする。
【００５０】
ディスクトレイ５が格納位置に向けて移動すると、スライダ２０は、モータ３５の駆動により右スライド位置に向けてスライドし、このスライダ２０のスライドにより、トラバースメカ１０が退避位置から再生位置まで回転される。
【００５１】
スライダ２０が右スライド位置に向けてスライドして、トラバースメカ１０が再生位置の直前まで回転すると、第１，第２リフターボス２３ａ，２３ｂが、第１，第２変形部２０ｂ，２０ｅに当接する。この当接により、第１，第２リフターボス２３ａ，２３ｂに負荷が付与される。第１，第２リフターボス２３ａ，２３ｂに負荷が付与されている間は、トラバースメカ１０の回転速度が低下する。
【００５２】
そして、トラバースメカ１０が再生位置まで回転すると、鉄板２６が取り付けられたクランパ２５は、チャッキングコア部９ａの磁石１９の磁気により保持され、ＣＤ３が、ターンテーブル９とクランパ２５との間に挟持される。
【００５３】
このように、トラバースメカ１０が再生位置の直前まで回転したときに、トラバースメカ１０の回転速度を低下させるから、一定の回転速度でトラバースメカ１０を再生位置まで回転させるタイプの光ディスク装置に比べて、チャッキングコア部９ａがクランパ２５に接触するときの速度を低下させることができる。これにより、チャッキングコア部９ａがクランパ２５に接触するときに発生するチャッキング音を小さくすることができる。
【００５４】
また、スライダ２０に形成した第１，第２変形部２０ｂ，２０ｅにより、第１，第２リフターボス２３ａ，２３ｂに負荷を付与して、トラバースメカ１０の回転速度を低下させるから、時間のタイミングによりトラバースメカ１０の回転速度を低下させるものに比べて、簡単な構成で容易にチャッキング音を小さくすることができる。さらに、時間タイミングによりトラバースメカ１０の回転速度を低下させるものでは、ディスクトレイ５が露出位置から格納位置に向けて操作者によって押されたときに、回転速度を低下させる前にトラバースメカ１０が再生位置まで回転してしまうという問題があるが、本発明においては、ディスクトレイ５が露出位置から格納位置に向けて操作者によって押されたときにも、確実にトラバースメカ１０の回転速度を低下させることができる。
【００５５】
なお、上記実施形態では、スライダ２０に第１，第２カム孔２０ａ，２０ｄを形成したが、スライダ２０に形成するカム孔の数量は適宜変更可能であり、これに応じて、変形部及びリフターボスの数量も適宜変更可能されるものである。
【００５６】
また、上記実施形態では、第１，第２変形部２０ｂ，２０ｅの変形を容易にするために、第１，第２逃げ孔２０ｃ，２０ｆを形成したが、第１，第２変形部２０ｂ，２０ｅのみを形成し、第１，第２逃げ孔２０ｃ，２０ｆを形成しないようにしてもよい。
【００５７】
さらに、上記実施形態では、第１，第２変形部２０ｂ，２０ｅをスライダ２０に一体的に形成したが、図１２に示すように、第１，第２変形部２０ｂ，２０ｅの代わりに、板バネ（変形部材）４０を、スライダ２０に取り付けてもよく、図１２（Ａ）に示すように、板バネ４０の一端４０ａをスライダ２０に取り付け、他端４０ｂをフリー状態にする。また、第１，第２逃げ孔２０ｃ，２０ｆを、板バネ４０が変形可能な形状で形成する。図１２（Ｂ）に示すように、板バネ４０により、第１，第２リフターボス２３ａ，２３ｂに負荷が付与されている間は、トラバースメカ１０の回転速度が低下するから、チャッキングコア部９ａがクランパ２５に接触するときに発生するチャッキング音を小さくすることができる。さらに、板バネ４０を設けずに、板バネ４０の形状を、変形片としてスライダ２０に一体的に形成するようにしてもよい。
【００５８】
また、図１３に示すように、第１，第２変形部２０ｂ，２０ｅの代わりに、トーションバネ（変形部材）４２を、スライダ２０に取り付けてもよく、図１３（Ａ）に示すように、トーションバネの円巻された本体部４２ａをスライダ２０に取り付け、第１腕部４２ｂをスライダ２０に当接させ、第２腕部４２ｃをフリー状態にする。また、第１，第２逃げ孔２０ｃ，２０ｆを、トーションバネ４２が変形可能な形状で形成する。図１３（Ｂ）に示すように、第２腕部４２ｃにより、第１，第２リフターボス２３ａ，２３ｂに負荷が付与されている間は、トラバースメカ１０の回転速度が低下するから、チャッキングコア部９ａがクランパ２５に接触するときに発生するチャッキング音を小さくすることができる。
【００５９】
さらに、上記実施形態では、チャッキングコア部９ａの磁石１９で、クランパ２５の鉄板２６を保持することにより、ターンテーブル９とクランパ２５との間にＣＤ３を挟持したが、ターンテーブル９とクランパ２５との間にＣＤ３を挟持する方法は適宜変更可能であり、磁石１９及び鉄板２６を用いずに、クランパ２５の自重により、ＣＤ３を挟持するようにしてもよく、この場合にも、本発明は効果的である。
【００６０】
また、上記実施形態では、トレイ移動機構３０を、トレイ用ギア３１、中継プーリー３２、ベルト３３、モータプーリー３４、モータ３５を備えて構成したが、ギアやプーリー等の個数は適宜変更可能である。
【００６１】
さらに、上記実施形態では、スライダ２０のスライドにより、トラバースメカ１０を昇降させたが、これに限定されることなく、ギア機構やリンク機構等により、トラバースメカ１０を昇降させるようにしてもよい。
【００６２】
また、上記実施形態では、本発明をパソコンに組み込まれる光ディスク装置２に実施したが、ノートパソコンに内蔵される薄型タイプの光ディスク装置にも実施可能であり、さらには、ＣＤプレーヤやＤＶＤプレーヤ等の各種プレーヤにも実施可能である。
【００６３】
図１４に他の実施形態を示す。図１〜図１１に示す実施形態のものと同様の構成部材には同一の符号を付し、その詳細な説明を簡略化する。この実施形態では、第１，第２変形部２０ｂ，２０ｅの代わりに、回転レバー４５が設けられている。回転レバー４５は、軸部４５ａを中心にしてケース４の内部に回転自在に取り付けられており、コイルバネ４６により、初期位置（図１４（Ａ）参照）に向けて付勢されている。なお、本実施形態では、第１，第２リフターボス２３ａ，２３ｂは、スライダ２０の前面から突出するような長さで形成されており、回転レバー４５は、スライダ２０の前面から突出した部分に当接する。
【００６４】
下カバー４ｂには、コイルバネ４６による回転レバー４５の回転を規制する規制片４ｅと、コイルバネ４６の一端が取り付けられる取付片４ｆとが、それぞれ２個ずつ形成されている。回転レバー４５は、軸部４５ａを中心にして、コイルバネ４６の他端が取り付けられる取付部４５ｂと、第１，第２リフターボス２３ａ，２３ｂに当接する当接部４５ｃとが形成されている。取付部４５ｂが規制片４ｅに当接することにより、回転レバー４５の回転が規制される。当接部４５ｃは、弾性変形可能な形状で形成されている。回転レバー４５及びコイルバネ４６は、それぞれ２個ずつ設けられており、スライダ２０の前方に取り付けられている。
【００６５】
スライダ２０には、右スライド位置に向けてスライドしたときに、当接部４５ｃに当接して、回転レバー４５をコイルバネ４６の付勢に抗して回転させる当接凸部２０Ｌが形成されている。図１４（Ｂ）に示すように、スライダ２０が右スライド位置に向けてスライドして、トラバースメカ１０が再生位置の直前まで回転すると、当接凸部２０Ｌが当接部４５ｃに当接し、回転レバー４５がコイルバネ４６の付勢に抗して回転する。そして、第１，第２リフターボス２３ａ，２３ｂが、当接部４５ｃに当接し、この当接により、第１，第２リフターボス２３ａ，２３ｂに負荷が付与される。第１，第２リフターボス２３ａ，２３ｂに負荷が付与されている間は、トラバースメカ１０の回転速度が低下する。
【図面の簡単な説明】
【００６６】
【図１】本発明を実施した光ディスク装置の外観斜視図である。
【図２】ディスクトレイが露出した状態の光ディスク装置の外観斜視図である。
【図３】ディスクトレイが露出位置に位置するときの光ディスク装置を示す正面図である。
【図４】ディスクトレイが露出位置に位置するときの光ディスク装置を示す下側面断面図である。
【図５】ディスクトレイが露出位置に位置するときの光ディスク装置を示す右側面断面図である。
【図６】スライダとリフターとを示す分解斜視図である。
【図７】スライダがギア噛合位置に位置するときの光ディスク装置を示す正面図である。
【図８】ディスクトレイが格納位置に位置し、スライダがギア噛合位置に位置するときの光ディスク装置を示す下側面断面図である。
【図９】第１，第２リフターボスが第１，第２変形部に当接したときの光ディスク装置を示す下側面断面図である。
【図１０】第１，第２リフターボスが第１，第２変形部を変形させたときの光ディスク装置を示す下側面断面図である。
【図１１】スライダが右スライド位置に位置し、トラバースメカが再生位置に位置するときの光ディスク装置を示す下側面断面図である。
【図１２】板バネをスライダに取り付けた実施形態の光ディスク装置を示す下側面断面図である。
【図１３】トーションバネをスライダに取り付けた実施形態の光ディスク装置を示す下側面断面図である。
【図１４】回転レバー及びコイルバネを設けた実施形態の光ディスク装置を示す下側面断面図である。
【符号の説明】
【００６７】
２  光ディスク装置
３  ＣＤ（光ディスク）
８  スピンドルモータ
９  ターンテーブル
１０  トラバースメカ
２０  スライダ
２０ａ，２０ｄ  第１，第２カム孔
２０ｂ，２０ｅ  第１，第２変形部
２３  リフター
２３ａ，２３ｂ  第１，第２リフターボス（ボス部）
２５  クランパ
３０  トレイ移動機構
３５  モータ
４０  板バネ（変形部材）
４２  トーションバネ（変形部材）
【図１】
2008305480.tif 000003
【図２】
2008305480.tif 000004
【図３】
2008305480.tif 000005
【図４】
2008305480.tif 000006
【図５】
2008305480.tif 000007
【図６】
2008305480.tif 000008
【図７】
2008305480.tif 000009
【図８】
2008305480.tif 000010
【図９】
2008305480.tif 000011
【図１０】
2008305480.tif 000012
【図１１】
2008305480.tif 000013
【図１２】
2008305480.tif 000014
【図１３】
2008305480.tif 000015
【図１４】
2008305480.tif 000016